(57)【特許請求の範囲】
【請求項１】
パッチワークの模様に関する情報を与える手段と、
パッチワーク作品の大きさに関する情報を与える手段と、
前記情報に基づいて必要とする各素材ピースの大きさを演算する手段と、
該演算結果を出力する手段と,
該演算した素材ピースの大きさが所定の範囲内であるか否か判断する手段と、
を備えたことを特徴とするパッチワーク縫い補助装置。
【請求項２】
パッチワークの模様に関する情報を与える手段と、
パッチワーク作品の大きさに関する情報を与える手段と、
前記情報に基づいて必要とする各素材ピースの大きさを演算する手段と、
該演算結果を出力する手段と,
該出力する手段による演算結果に基づいて、ユーザが該素材ピースの大きさが所定の範囲内であるか否かについての判断を入力する手段と、
を備えたことを特徴とするパッチワーク縫い補助装置。
【請求項３】
前記演算された素材ピースの大きさが、所定の範囲内でない時、前記パッチワークの模様に関する情報を与える手段と、前記パッチワーク作品の大きさに関する情報を与える手段とは、新たな情報を与える、
請求項１又は２に記載のパッチワーク縫い補助装置。
【請求項４】
前記パッチワークの模様に関する情報を与える手段が、
複数のパッチワーク模様に関する情報を記憶する手段と、
該記憶する手段から所望のパッチワークの模様に関する情報を選択する手段と、
を備える請求項１又は２又は３に記載のパッチワーク縫い補助装置。
【請求項５】
前記演算する手段が、各素材ピースの大きさに加えて素材全体の大きさも演算する、
請求項１又は２又は３又は４に記載のパッチワーク縫い補助装置。
【請求項６】
模様ピースの数に関する情報を入力する手段を更に備え、
前記演算する手段が、入力されたピース数に関する情報と前記大きさに関する情報に基づいて必要とする各素材ピースの大きさを演算する、
請求項１又は２又は３又は４又は５に記載のパッチワーク縫い補助装置。
【請求項７】
前記素材ピースの大きさが、作品の模様ピースの大きさに縫い代とキセを加えたものである、
請求項１又は２又は３又は４又は５又は６に記載のパッチワーク縫い補助装置。
【請求項８】
前記出力する手段が、画像表示手段、音声表示手段、印刷手段の中の少なくとの１つである、
請求項１又は２又は３又は４又は５又は６又は７に記載のパッチワーク縫い補助装置。
【請求項９】
請求項１又は２又は３又は４又は５又は６又は７又は８に記載のパッチワーク縫い補助装置を備えたミシン。
【発明の詳細な説明】
【０００１】
【産業上の利用分野】
この発明はパッチワーク縫い補助装置及びこの装置を備えたミシンに関する。
【０００２】
【従来の技術】
パッチワークは複数の素材ピースを縫い合わせることにより１つの大きな模様を形成するものであり、近年盛んに行われるようになって来ている。
【０００３】
【発明が解決しようとする課題】
しかしパッチワークを行う場合、各素材ピースの大きさを計算するのが面倒である問題がある。まず最初に、完成する作品の大きさから模様を構成する各模様ピースの大きさを逆算する必要がある。しかも、同一の模様でも模様ピースの数に種々のバリエーションがあり、模様ピースの数に対応して模様ピースの大きさも変化してくる。
完成作品の模様ピースの大きさが決定したら、この模様ピース寸法に縫い代やキセを加算して素材ピースの寸法を計算するが、この縫い代やキセも模様に応じて異なってくる問題があり、素材ピースの寸法を算出するためには、多くの手間を要する問題があった。
本発明は上記した問題点を解決することを目的とするもので、素材ピースの寸法を簡単に算出できる補助装置及び該装置を備えたミシンを提供することを目的とする。
【０００４】
【課題を解決するための手段】
上記目的を達成するために本発明のパッチワーク縫い補助装置及びこれを備えたミシンは、複数のパッチワークの模様に関する情報を与える手段と、パッチワーク作品の大きさに関する情報を与える手段と、前記情報に基づいて必要とする各素材ピースの大きさを演算する手段と、該演算結果を出力する手段と、該演算した素材ピースの大きさが所定の範囲内であるか否か判断する手段と、を備えたことを特徴とする。
パッチワークの模様に関する情報を与える手段は、記憶装置や入力装置であって、少なくとも模様の形状情報を供給する。また、該形状に伴う模様ピースの縫い代やキセの割合或いはピースの寸法を求める演算プログラム等を供給するようにしても良い。また記憶装置を用いる場合は模様を複数記憶させておき、所望の模様を選択するようにしても良い。この場合模様に関する情報は各ピースの数量毎に別個の模様情報としても良いし、形状の同一のものを１つだけ供給するようにしておき、後述するように模様ピースの数を入力する手段を更に設けて、ユーザが任意にピース数を入力できるようにしても良い。
作品の大きさに関する情報を与える手段は、通常は操作者による入力装置等であって、これにより所望の作品の大きさを入力する。
前記演算する手段は各素材ピースの大きさに加えて素材全体の大きさも演算するようにしても良い。
上記演算プログラムは、これらの必要とする大きさを演算するプログラムとなっており、また各模様パターンに適合した演算を行うように構成されている。
パッチワークの模様ピースの数に関する情報は、前記模様に関する情報として供給しても良いし、別途模様ピースの数を入力する手段を更に設けても良い。この場合前記演算する手段は、模様と入力されたピース数に関する情報と前記作品大きさに関する情報に基づいて必要とする各素材ピースの大きさを演算することになる。
前記演算による素材ピースの大きさは、一般的には作品の模様ピースの大きさに縫い代とキセを加えたものである。
前記出力する手段は典型的には画像表示手段又は音声表示手段又は印刷出力手段或いはこれらの組み合わせであるが、他のどのような出力する手段も使用可能である。
演算した素材ピースの大きさが所定の範囲内であるか否か判断する手段は、典型的には縫製可能なピースの大きさであるか否かを判断する。この判断はユーザが行って、その判断を入力する手段を設けても良い。
演算された素材ピースの大きさが、所定の範囲内でない時には、前記パッチワークの模様に関する情報を与える手段と、前記パッチワーク作品の大きさに関する情報を与える手段とは、新たな情報を与えるように、構成することが可能である。素材ピースの大きさをユーザが入力する構成の場合には、再入力可能とし、所望の模様を選択する構成の場合には、再選択可能とする。この再入力可能な構成により、演算を繰り返して、最適な模様と作品の大きさ及びピースの大きさを得ることが可能になる。
【０００５】
【作用】
パッチワークの模様に関する情報を与える手段から情報が与えられる。複数のパッチワークの模様に関する情報を記憶する手段を用いる場合は、ここから所望のパッチワークの模様に関する情報を選択する手段より選択する。この情報とパッチワーク作品の大きさに関する情報を与える手段からの情報に基づいて演算する手段は必要とする各素材ピースの大きさを演算する。この演算結果は出力する手段により出力される。
前記演算する手段は各素材ピースの大きさに加えて素材全体の大きさも演算するようにしても良い。
模様ピースの数を入力する手段を更に設ける場合、前記演算する手段は、入力されたピース数に関する情報と前記大きさに関する情報に基づいて必要とする各素材ピースの大きさを演算する。該演算した素材ピースの大きさが所定の範囲内であるか否か判断される。
この素材ピースの大きさの演算は、一般的には作品の模様ピースの大きさに縫い代とキセを加えて行われる。縫い代やセキは模様に応じて異なるものであり、演算方法の情報を模様情報と共に記憶する手段に記憶させておくこともできる。
【０００６】
【実施例】
以下本発明の実施例を図面に基づいて説明する。この実施例ではパッチワーク縫い補助装置がミシンに備え付けられているが、いうまでもなく補助装置はミシンから分離独立した装置であっても良い。
図１において、模様に関する情報を与える手段は記憶手段１と選択手段２とから構成されている。記憶手段１には複数のパッチワークの模様Ａ〜Ｎに関する情報が記憶されており、この実施例では模様形状と色分けに関する情報が記憶されている。この実施例では更に素材模様ピース等の寸法を演算するためのプログラムが各模様毎に記憶されている。
この記憶手段１はミシン本体に備え付けのものであっても良いし、或いはＲＯＭカード等のカード化されたものでも良い。カード化した場合には模様毎に異なるカードとしても良い。
【０００７】
記憶手段１に記憶された模様情報は選択手段２の操作により演算手段７に読み出されるようになっている。演算手段７には作品大きさ入力手段３、ピース数指定手段５からの情報が入力されるようになっており、演算手段７はこれらの情報と記憶手段１からの情報に基づいて素材ピースＳの大きさ（寸法）を計算し、表示手段８に表示するようになっている。
演算手段７は素材ピースＳの大きさ以外に、この実施例では素材Ｍの大きさを計算するように構成しており、また色毎の素材ピース数を出力することが可能になっている。
これらの値は、作品大きさ入力手段３、ピース数指定手段５からの情報と記憶手段１からの情報を下記のように適宜組み合わせて演算することにより算出可能である。
0003553641.tif 000002
【０００８】
素材ピースＳの大きさは模様ピースＰの大きさに縫い代とキセを加算して計算するようになっている。
また、上記説明では記憶手段１に模様ピース数情報は記憶させず、ピース数指定手段５によりピース数を入力するようになっているが、模様ピース数毎に異なる模様として記憶手段１に記憶させ、ピース数指定手段５を省略することも可能である。また、記憶手段１に模様ピース数に関する情報を入力しておき、ピース数指定手段５により適宜操作により変更させるようにする等の構成を採用することも可能である。
【０００９】
演算の概要を図２の例により説明する。
パッチワーク模様としてログキャビンの場合につき説明する。この模様は斜線の色付き部分と斜線のない白部分に色分けされているとする。
図２の（Ａ）に示すログキャビン模様を作成するとき、作品の大きさとして２０×２０ｃｍ、ピース数として９ケを演算手段７に入力すると、演算手段７は作品の各ピースＡ、Ｂ、Ｃ、Ｄ、Ｅの大きさに縫い代とキセを加算して素材ピースＳの寸法を（Ｂ）に示すように演算する。同時に各ピース毎に色毎のピース数を算出して出力する。更に（Ｃ）に示すように色毎の素材大きさを出力する。素材の布取りが複数の場合には各布取りを出力する。即ち図２（Ｃ）に示すように、白色のＡ、Ｂ、Ｃ、Ｄのピースの組合せ方法が複数ある時には、各組合せ方法について表示し、その素材の大きさを表示する。
ユーザは以上の出力に対応して素材の切断を行い、各素材ピースＳを用意し、各素材ピースＳを縫い合わせて簡単に作品を完成させることが可能になる。
【００１０】
図３は本発明の一実施例のハード的な構成を示すブロック図である。
ＣＰＵ１００はプログラム記憶装置１０１に記憶されたプログラムに従ってミシンの制御を行っており、足踏み式等の速度コントローラである回転速度指令装置１０３により指示された速度でミシンモータ駆動回路１１０を制御して、ミシンモータ１１１を回転させ、該指示速度に応じた縫い速度で縫目形成機構１１２を駆動するようになっている。縫目形成機構１１２は針棒と針及び布送り機構により構成され、所定の縫いを実行するようになっている。ミシンモータ１１１の回転数はモータ回転検出センサ１１３により検出され、ＣＰＵ１００にフィードバックされて速度制御に使用されるようになっている。
タイミング信号発生装置１１４はミシン本体の上軸の回転位相を検出して、針の上下動を検出し、ＣＰＵ１００に該タイミング信号を入力するように構成されている。
該ミシン本体（図示せず）のフロント部には、表示装置８１が設けられており、表示制御装置８０によりＣＰＵ１００からの指令に応じて種々の表示を行うようになっている。
ミシン本体には更にパッチワーク演算モード選択キー２９が設けられており、パッチワークの演算を行いたいときにはこのパッチワーク演算モード選択キー２９を押して演算モードに移行できるようになっている。
なお、１１は一時記憶装置である。
【００１１】
模様データ／演算プログラム記憶装置１０には前記したようにパッチワーク模様データと素材ピース寸法演算プログラムが記憶されており、この模様データに基づいてパッチワーク模様が表示装置８１に表示され、該表示を見ながらパッチワーク模様選択キー２２により模様の選択を行えるように構成されている。
更に作品大きさ入力キー２３、ピース数指定キー２５、制御キー２７が設けられており、必要な事項をこれらのキーを操作して入力するようになっている。
これらのパッチワーク模様選択キー２２、作品大きさ入力キー２３、ピース数指定キー２５、制御キー２７はこの実施例では表示装置８１の液晶表示画面上に形成されたタッチパネルになっており、処理の進行に応じて適宜画面上に表示形成されるようになっている。
なお、表示装置８１の他に音声表示装置やプリンタ等の印刷装置を用いることも可能であり、これらを併設することも可能である。
【００１２】
ＣＰＵ１００には演算手段７に相当する機能が形成されており、模様データ／演算プログラム記憶装置１０から読みだした演算プログラムに応じて、パッチワーク模様毎に寸法計算を実行するようになっている。
図４及び図５によりＣＰＵ１００による演算の動作を説明する。
パッチワーク模様選択キー２２によりパッチワークの模様が選択されると（ステップＳ１）、模様データ／演算プログラム記憶装置１０から選択されたパッチワークの模様データ及び演算プログラムが読み出されて一時記憶装置１１に記憶される（ステップＳ２）。次に作品大きさ入力キー２３の操作により作品Ｗ大きさが入力されると（ステップＳ３）、この作品Ｗの大きさが一時記憶装置１１に記憶される（ステップＳ４）。
次にピース数指定キー２５により模様ピース数が入力されると（ステップＳ５）、この模様ピース数を一時記憶装置１１に記憶する（ステップＳ６）。ＣＰＵ１００は一時記憶装置１１に記憶された模様データ、演算プログラム及び作品Ｗの大きさ、模様ピース数により、素材ピースＳの大きさを演算する（ステップＳ７）。そしてこの素材ピースＳの大きさが所定値以上か否かチェックする（ステップＳ８）。この素材ピースＳの所定値は例えば２ｃｍ以上等とし、これにより現実的に縫製不可能なピースとしないようになっている。素材ピースＳの大きさの適否はユーザが判断するようにし、ユーザの諾否の入力により判定を行うようにしても良い。素材ピースＳの大きさが適合していない時はユーザに再入力を促す警告を行い（ステップＳ９）、ステップＳ３に戻る。
素材ピースＳの大きさが適合したら、該素材ピースＳの大きさから素材Ｍの大きさを色毎に演算し（ステップＳ１０）、該大きさが適当であるか否かチェックする（ステップＳ１１）。これは例えば予め決められて値でも良いし、ユーザが手持ちの素材大きさ等から判断して適否の入力を行うようにしても良い。
素材Ｍの大きさが適合していない時はユーザに再入力を促す警告を行い（ステップＳ９）、ステップＳ３に戻る。
素材Ｍの大きさが適合したら、表示装置８１に素材Ｍの大きさ、素材ピースＳの寸法、及び色毎の素材ピース数を表示する（ステップＳ１２）。
【００１３】
次に記憶手段１にパッチワークの模様情報と共にピース数が記憶されており、ピース数指定キー２５によるピース数の指定を行わない場合の動作を図５により説明する。
パッチワーク模様選択キー２２によりパッチワークの模様が選択されると（ステップＳ２０）、模様データ／演算プログラム記憶装置１０から選択されたパッチワークの模様データ、ピース数及び演算プログラムが読み出されて一時記憶装置１１に記憶される（ステップＳ２１）。次に作品Ｗ大きさが入力されると（ステップＳ２２）、この大きさが一時記憶装置１１に記憶される（ステップＳ２３）。
ＣＰＵ１００は一時記憶装置１１に記憶された模様データ、ピース数、演算プログラム及び作品Ｗの大きさ、模様ピース数により、素材ピースＳの大きさを演算する（ステップＳ２４）。そしてこの素材ピースＳの大きさが所定値以上か否かチェックする（ステップＳ２５）。この素材ピースＳの所定値は前記と同様に例えば２ｃｍ以上等とし、これにより現実的に縫製不可能なピースとしないようになっている。素材ピースＳの大きさの適否はユーザが判断するようにし、ユーザの諾否の入力により判定を行うようにしても良い。素材ピースＳの大きさが適合していない時はユーザに再入力を促す警告を行い（ステップＳ２６）、ステップＳ２２に戻る。
素材ピースＳの大きさが適合したら、該素材ピースＳの大きさから素材Ｍの大きさを色毎に演算し（ステップＳ２７）、該大きさが適当であるか否かチェックする（ステップＳ２８）。これは例えば予め決められて値でも良いし、ユーザが手持ちの素材等から判断して適否の入力を行うようにしても良い。
素材Ｍの大きさが適合していない時はユーザに再入力を促す警告を行い（ステップＳ２６）、ステップＳ２２に戻る。
素材Ｍの大きさが適合したら、表示装置８１に素材Ｍの大きさ、素材ピースＳの寸法、及び色毎の素材ピース数を表示する（ステップＳ２９）。
【００１４】
図６乃至図１０に表示装置８１による表示の一例を示し、これに基づいて上記実施例のミシンの操作方法を説明する。
パッチワーク演算モード選択キー２９によりパッチワーク演算モードを選択すると、図６に示す画面が表示装置８１に表示されるようになっている。ここでは、記憶手段１に記憶されているパッチワークの模様の形状と色分けを表示するようになっており、この例ではチェッカーボード、オーシャンウエーブ、レモンスター、ログキャビン、おばあちゃんの花園、タンブリングの模様が表示されるようになっている。また同時に制御キー２７が画面上部に形成され、所望の模様を表示できるようになっている。そして、各模様の下にはパッチワーク模様選択キー２２が形成され、このパッチワーク模様選択キー２２に接触することにより模様選択が行えるようになっている。
【００１５】
いま、チェッカーボードを選択すると図７の画面に切り替わり、左側にチェッカーボードの形状及び色分け（この例では緑と白）が表示され、右側に作品大きさ入力キー２３、ピース数指定キー２５が形成される。この例では作品大きさ表示８２とピース数表示８３が形成され、作品大きさ入力キー２３、ピース数指定キー２５の「＋−」の操作により数字が変わり、「確定」を押すことにより数字の入力が行えるようになっている。また画面の上には制御キー２７が形成され、画面の操作を行えるようになっている。
作品大きさ入力キー２３、ピース数指定キー２５により大きさとピース数（この例では列数で入力）を入力すると、その演算結果が（Ｂ）の画面のように表示されるようになっている。ここでは画面の左側の素材ピース寸法結果表示８４に素材ピースＳの寸法が表示され、右側の素材全体寸法結果表示８６に素材Ｍの寸法が色毎に表示されるようになっている。図では緑の素材寸法が表示されている画面を示している。また画面の下の色毎のピース数結果表示８５には色毎のピース数が表示される。
これらの演算結果に満足しない場合はこの画面で制御キー２７の「戻る」を押すと、（Ａ）の画面に戻って、作品Ｗの大きさとピース数を再入力できるようになっている。
一方（Ｂ）の画面で制御キー２７の「説明」を押すと、（Ｃ）に示す画面に切り替わり、チェッカーボードの縫い方のアドバイスを表示するようになっている。ここで、制御キー２７の「縫い」を押すと、演算モードが終了し、通常の縫いモードに戻るように構成されている。
【００１６】
図８はオーシャンウエーブ模様の場合の画面表示を示しており、最初に作品大きさとピース数を入力する画面を示している。（Ｂ）では素材ピースＳ寸法と素材Ｗ寸法が表示され、また色毎の素材ピースのピース数が表示されるようになっている。（Ｃ）ではオーシャンウエーブの縫い方アドバイスが表示される。
【００１７】
図９はレモンスター模様の場合を示すもので、レモンスターはピース数が一定であるため、作品Ｗの大きさのみを入力するようになっている。但し素材ピースＳの形状が３種類あるため、３種類の素材ピースＳの大きさを計算し、（Ｂ）に示すように各ピースの大きさと、色及びその枚数を表示するようになっている。作品Ｗの大きさ表示については図示を省略する。（Ｃ）（Ｄ）はそれぞれアドバイスの表示である。
【００１８】
図１０はログキャビンの場合の画面を示すもので、前記したようにＡＢＣＤＥＦの各ピースの寸法を計算して表示するようになっている。アドバイスの図示は省略する。
【００１９】
【発明の効果】
以上説明したように本願の請求項１及び２の発明によれば、パッチワークの模様情報と作品の大きさとから素材ピースの大きさを演算して出力することが出来るから、従来煩雑であったピース寸法の計算が不要で、簡単にパッチワークを行うことが可能になる。また該演算した素材ピースの大きさが所定の範囲内であるか否か判断するか或いは判断を入力することができる。また請求項３の発明では、更に演算された素材ピースの大きさが、所定の範囲内でない時には、前記パッチワークの模様に関する情報を与える手段と、前記パッチワーク作品の大きさに関する情報を与える手段とは、新たな情報を与えるように、構成しているため、演算を繰り返して、最適な模様と作品の大きさ及びピースの大きさを得ることが可能になる。
また請求項４の発明では、模様を任意に選択でき、更に請求項５の発明では素材の大きさも演算できるから、素材の選択も容易である。
請求項６の発明では模様ピースの数に関する情報を入力する手段を備えているため、記憶する手段にピース数に関するデータを記憶させなくて済む利点がある。またユーザがピース数を設定或いは変更することが可能になる。
【図面の簡単な説明】
【図１】本発明の一実施例を示す機能ブロック図。
【図２】本発明の一実施例における演算の説明図。
【図３】本発明の一実施例の構成を示すブロック図。
【図４】本発明の一実施例の動作を説明するフローチャート図。
【図５】本発明の一実施例の動作を説明するフローチャート図。
【図６】本発明の画面表示の一実施例の説明図。
【図７】本発明の画面表示の一実施例の説明図。
【図８】本発明の画面表示の一実施例の説明図。
【図９】本発明の画面表示の一実施例の説明図。
【図１０】本発明の画面表示の一実施例の説明図。
【符号の説明】
１：記憶手段、２：選択手段、３：作品大きさ入力手段、５：ピース数指定手段、７：演算手段、８：表示手段、１０：模様データ／演算プログラム記憶装置、１１：一時記憶装置、２２：パッチワーク模様選択キー、２３：作品大きさ入力キー、２５：ピース数指定キー、２７：制御キー、２９：パッチワーク演算モード選択キー、８０：表示制御装置、８１：表示装置、８２：作品大きさ表示、８３：ピース数表示、８４：素材ピース寸法結果表示、８５：色毎のピース数結果表示、８６：素材全体寸法結果表示、９０：アドバイス表示画面、１００：ＣＰＵ、１０１：プログラム記憶装置、１０３：回転速度指令装置、１０４：縫いモード選択釦、１１０：ミシンモータ駆動回路、１１１：ミシンモータ、１１２：縫目形成機構、１１３：モータ回転検出センサ、１１４：タイミング信号発生装置。
【図１】
0003553641.tif 000003
【図２】
0003553641.tif 000004
【図３】
0003553641.tif 000005
【図４】
0003553641.tif 000006
【図５】
0003553641.tif 000007
【図６】
0003553641.tif 000008
【図７】
0003553641.tif 000009
【図８】
0003553641.tif 000010
【図９】
0003553641.tif 000011
【図１０】
0003553641.tif 000012